(57)【要約】【課題】球発射装置の開放が容易であると共に、本体枠への下皿の取付け、取外しが容易であり、かつ専用の施錠装置を設けることなく下皿を閉じた状態を維持することができると共に、下皿の構造を簡単にできる遊技機の球皿配設構造を提供すること。【解決手段】遊技機の球皿配設構造１は、上皿３及び下皿４を本体枠に配設してなる。下皿４は、本体枠の左側下方に配設した球発射装置の前方を開放する形状に形成してあると共に、本体枠の前面側に配置した後に右側へスライドさせ、本体枠における被係合部２１に係合部４２を係合させることにより、本体枠の前面側に取り付ける。上皿３は、本体枠に対して左端部を中心に開閉可能であり、球発射装置の前方を覆うと共に下皿４の下皿パネル部４１における上端部４１１Ｂ及び左端部４１１Ａの前面側に覆い被さる形状に形成してある。【選択図】図１
2008188144.tif 000002
【特許請求の範囲】
【請求項１】
球発射装置へ供給する遊技球を貯留する上皿と、該上皿の下方に配置し、該上皿からオーバーフロー通路を経由して溢れ出した遊技球を貯留する下皿とを、本体枠の前面側に配設してなる遊技機の球皿配設構造において、
上記球発射装置は、上記本体枠の左側下方に配設して、略垂直方向に遊技球を発射させるよう構成してあり、
上記下皿は、上記本体枠に形成した被係合部に係合する係合部を備えた下皿パネル部と、該下皿パネル部の前面側に突出して遊技球を貯留する下皿球貯留部とを有しており、かつ、上記球発射装置の前方を開放する形状に形成してあると共に、上記本体枠における左右方向又は上下方向にスライドさせ、該本体枠における上記被係合部に上記係合部を係合させることにより、上記本体枠の前面側に取り付けるよう構成してあり、
上記上皿は、上記本体枠に対して左端部を中心に開閉可能な状態で取り付けた上皿パネル部と、該上皿パネル部の前面側に突出して遊技球を貯留する上皿球貯留部とを有しており、かつ、上記球発射装置の前方を覆うと共に上記下皿パネル部における上端部及び左端部の前面側に覆い被さる形状に形成してあることを特徴とする遊技機の球皿配設構造。
【請求項２】
請求項１において、上記本体枠の前面側には、上記下皿の上記本体枠への取付状態を固定するロック部材が設けてあり、該ロック部材は、上記本体枠に対して上記上皿を開放した状態でのみ操作可能であることを特徴とする遊技機の球皿配設構造。
【請求項３】
請求項２において、上記ロック部材は、上記下皿の上記本体枠への取付状態を固定するための固定位置と、該取付状態を解除するための解除位置とに移動可能であり、
上記ロック部材が上記固定位置にあるときには、上記上皿を上記本体枠に対して閉じることができる一方、上記ロック部材が上記解除位置にあるときには、上記上皿を上記本体枠に対して閉じることができないよう構成してあることを特徴とする遊技機の球皿配設構造。
【請求項４】
請求項１〜３のいずれか一項において、上記下皿パネル部の前面側には、電装部品が配設してあり、
上記本体枠の前面側には、上記電装部品のハーネスの接続を行うための中継基板が配設してあることを特徴とする遊技機の球皿配設構造。
【請求項５】
請求項１〜４のいずれか一項において、上記上皿パネル部における右端部の裏面側には、手動で操作可能な閉保持用フックが配設してあり、
上記下皿パネル部における右端部の裏面側には、上記閉保持用フックを係止させるフック係止部材が配設してあることを特徴とする遊技機の球皿配設構造。
【発明の詳細な説明】
【技術分野】
【０００１】
本発明は、上皿（打球供給皿）と下皿（補助受皿）とを本体枠の前面側に配設してなる遊技機の球皿配設構造に関する。
【背景技術】
【０００２】
パチンコ遊技機等においては、遊技者は、操作ハンドルを操作して、遊技領域へ遊技球を発射させて遊技を行う。そして、遊技領域における入賞口等に遊技球が入賞したときには、球払出装置が作動し、所定数の遊技球を賞球として上皿（打球供給皿）へ払い出している。また、上皿の下方に下皿（補助受皿）を設けた上下皿タイプのパチンコ遊技機がある。このパチンコ遊技機においては、大量の遊技球が払い出され、上皿が満タン状態になったときには、上皿から溢れ出した遊技球を、オーバーフロー通路を介して下皿へ導いている。
【０００３】
また、本体枠に対して開閉しない固定式の下皿を採用する場合、この下皿を複数のねじにより本体枠に固定している。このとき、遊技領域へ遊技球を発射させるための球発射装置が、下皿によって覆われることになる。そのため、球発射装置に球詰まり等のトラブルが生じたときには、複数のねじを緩めて下皿を取り外す必要があった。
一方、特許文献１においては、メンテナンス時等に球発射装置を容易に開放するために、下皿装置（下皿）を遊技盤枠（本体枠）に対して着脱可能に軸支し、遊技盤枠に対して開閉可能にしている。また、特許文献１においては、上皿装置（上皿）も遊技盤枠（本体枠）に対して着脱可能に軸支し、遊技盤枠に対して開閉可能にしている。
【０００４】
しかしながら、特許文献１においては、上皿及び下皿のいずれについても、本体枠に対して閉じた状態を維持するためのロック装置（施錠装置）を設ける必要がある。また、上皿及び下皿のいずれについても、遊技盤枠に対して軸支するための板金、ピン等が必要になる。
【０００５】
【特許文献１】特開２０００−６１１０７号公報
【発明の開示】
【発明が解決しようとする課題】
【０００６】
本発明は、かかる従来の問題点に鑑みてなされたもので、球発射装置の開放が容易であると共に、本体枠への下皿の取付け、取外しが容易であり、かつ専用の施錠装置を設けることなく下皿を閉じた状態を維持することができると共に、下皿の構造を簡単にすることができる遊技機の球皿配設構造を提供しようとするものである。
【課題を解決するための手段】
【０００７】
本発明は、球発射装置へ供給する遊技球を貯留する上皿と、該上皿の下方に配置し、該上皿からオーバーフロー通路を経由して溢れ出した遊技球を貯留する下皿とを、本体枠の前面側に配設してなる遊技機の球皿配設構造において、
上記球発射装置は、上記本体枠の左側下方に配設して、略垂直方向に遊技球を発射させるよう構成してあり、
上記下皿は、上記本体枠に形成した被係合部に係合する係合部を備えた下皿パネル部と、該下皿パネル部の前面側に突出して遊技球を貯留する下皿球貯留部とを有しており、かつ、上記球発射装置の前方を開放する形状に形成してあると共に、上記本体枠における左右方向又は上下方向にスライドさせ、該本体枠における上記被係合部に上記係合部を係合させることにより、上記本体枠の前面側に取り付けるよう構成してあり、
上記上皿は、上記本体枠に対して左端部を中心に開閉可能な状態で取り付けた上皿パネル部と、該上皿パネル部の前面側に突出して遊技球を貯留する上皿球貯留部とを有しており、かつ、上記球発射装置の前方を覆うと共に上記下皿パネル部における上端部及び左端部の前面側に覆い被さる形状に形成してあることを特徴とする遊技機の球皿配設構造にある（請求項１）。
【０００８】
本発明の遊技機の球皿配設構造においては、略垂直方向に遊技球を発射させる垂直発射方式の球発射装置を用い、下皿は、球発射装置の前方を開放する形状に形成してある。そして、球発射装置の前方は、本体枠に対して開閉可能に配設した上皿の一部によって覆うよう構成してある。
これにより、球発射装置に球詰まり等が生じ、メンテナンスが必要になったときには、遊技機の管理者は、上皿を開けることにより球発射装置の前方を開放し、球発射装置のメンテナンスを行うことができる。
【０００９】
また、上皿は、下皿パネル部における上端部及び左端部の前面側に覆い被さった状態で、本体枠に対して閉じられる。これにより、下皿は、左右方向又は上下方向にスライド可能になっているものの、上皿を本体枠に対して開けない限りスライドさせて取り外すことができない。そのため、下皿は、専用の施錠装置を設けることなく、上皿によって閉じた状態を維持することができる。
【００１０】
また、本発明においては、上皿を本体枠に対して取り付ける前に、下皿を本体枠に対して取り付ける。このとき、下皿は、本体枠における左右方向又は上下方向にスライドさせることによって、本体枠の被係合部に対して係合部を係合させて、本体枠に取り付けることができる。また、下皿を本体枠から取り外すときには、上皿を本体枠に対して開ける。そして、下皿は、本体枠における左右方向又は上下方向にスライドさせることによって、本体枠の被係合部に対する係合部の係合状態を解除して、本体枠から取り外すことができる。
【００１１】
これにより、本発明の下皿は、ビス等の固定具を用いることなく本体枠に取り付けることができると共に、本体枠に対して容易に取付け、取外しを行うことができる。また、本発明の下皿は、本体枠に対して開閉可能にするための板金、ピン等の部材を用いることなく、本体枠に対して容易に取り付けることができ、その構造を簡単にすることができる。
それ故、本発明の遊技機の球皿配設構造によれば、球発射装置の開放が容易であると共に、本体枠への下皿の取付け、取外しが容易であり、かつ専用の施錠装置を設けることなく下皿を閉じた状態を維持することができると共に、下皿の構造を簡単にすることができる。
【発明を実施するための最良の形態】
【００１２】
上述した本発明における好ましい実施の形態につき説明する。
本発明において、上記本体枠の前面側には、上記下皿の上記本体枠への取付状態を固定するロック部材を設け、該ロック部材は、上記本体枠に対して上記上皿を開放した状態でのみ操作可能とすることが好ましい（請求項２）。
この場合には、ロック部材により、本体枠に対して下皿を安定して取り付けておくことができる。また、遊技機の前面側から見て、ロック部材によって下皿が本体枠に固定されていることを容易に確認することができる。また、ロック部材が、遊技者等によって不正に操作されることを防止することができる。
【００１３】
上記ロック部材は、上記下皿の上記本体枠への取付状態を固定するための固定位置と、該取付状態を解除するための解除位置とに移動可能であり、上記ロック部材が上記固定位置にあるときには、上記上皿を上記本体枠に対して閉じることができる一方、上記ロック部材が上記解除位置にあるときには、上記上皿を上記本体枠に対して閉じることができないよう構成することが好ましい（請求項３）。
この場合には、ロック部材によって下皿が本体枠に固定されたときのみ、本体枠に対して上皿を閉じることができる。そのため、作業者のミス等により、誤って下皿が本体枠に固定されていない状態で、上皿が閉じられてしまうことを防止することができる。
【００１４】
また、上記下皿パネル部の前面側には、電装部品を配設し、上記本体枠の前面側には、上記電装部品のハーネスの接続を行うための中継基板を配設することが好ましい（請求項４）。
この場合には、電装部品を備えた下皿を本体枠に取り付ける際に、本体枠に設けた制御基板等に対する電装部品のハーネス（電線）の配線は、中継基板によって中継して行うことができる。そのため、制御基板等から中継基板まで本体側のハーネスを予め配線しておき、中継基板に対して電装部品のハーネスを接続することにより、電装部品のハーネスの配線を容易に行うことができる。
また、上記電装部品としては、上記球発射装置による遊技球の発射強度を調整する操作ハンドル、電飾基板等の電飾部品、プリペイドカードに対応した貸し球を行うためのＣＲ操作部品等がある。
【００１５】
また、上記上皿パネル部における右端部の裏面側には、手動で操作可能な閉保持用フックを配設し、上記下皿パネル部における右端部の裏面側には、上記閉保持用フックを係止させるフック係止部材を配設することが好ましい（請求項５）。
この場合には、フック係止部材による閉保持用フックの係止により、上皿と下皿との位置決めを直接行うことができる。これにより、上皿から下皿へ遊技球を流下させるよう構成した排出通路（上記オーバーフロー通路等）における上皿と下皿との間の接続部分に位置ずれが生ずることを防止して、この接続部分に球詰まりが生じることを防止することができる。
【実施例】
【００１６】
以下に、本発明の遊技機の球皿配設構造にかかる実施例につき、図面と共に説明する。
本例の遊技機の球皿配設構造１は、図１〜図３に示すごとく、球発射装置１３へ供給する遊技球を貯留する上皿（打球供給皿）３と、上皿３の下方に配置し、上皿３からオーバーフロー通路１２を経由して溢れ出した遊技球を貯留する下皿（補助受皿）４とを、本体枠２の前面側に配設してなる。球発射装置１３は、本体枠２の左側下方に配設して、略垂直方向に遊技球を発射させる垂直発射方式のものである。
【００１７】
図１、図２に示すごとく、下皿４は、本体枠２に形成した被係合部２１に係合する係合部４２を備えた下皿パネル部４１と、下皿パネル部４１の前面側に突出して遊技球を貯留する下皿球貯留部４５とを有している。下皿４は、球発射装置１３の前方を開放する形状に形成してあると共に、本体枠２の前面側に配置した後に右側へスライドさせ、本体枠２における被係合部２１に係合部４２を係合させることにより、本体枠２の前面側に取り付けるよう構成してある。
【００１８】
図１に示すごとく、上皿３は、本体枠２に対して左端部を中心に開閉可能な状態で取り付けた上皿パネル部３１と、上皿パネル部３１の前面側に突出して遊技球を貯留する上皿球貯留部３５とを有している。上皿３は、球発射装置１３の前方を覆うと共に下皿パネル部４１における上端部４１１Ｂ及び左端部４１１Ａの前面側に覆い被さる形状に形成してある。
ここで、本例において、右側、右端部、右側部分とは、遊技機の前面側から見た右側、右端部、右側部分のことをいい、左側、左端部、左側部分とは、遊技機の前面側から見た左側、左端部、左側部分のことをいう。
【００１９】
以下に、本例の遊技機の球皿配設構造１につき、図１〜図１１と共に詳説する。
本例の遊技機は、パチンコ遊技機である。本体枠２は、合成樹脂からなり、パチンコ遊技を行う遊技盤を配設してなる。本体枠２は、遊技機における外枠（木枠等）１１に対して開閉可能に配設してある。本体枠２の前面側には、上皿３の上方位置に、ガラス板を合成樹脂の枠体によって保持してなるガラス枠５が開閉可能に配設してある。
【００２０】
図５に示すごとく、本体枠２には、下皿４の下端部からの荷重を受ける荷重受け部２２が形成してある。また、本体枠２へ下皿４を取り付ける際には、荷重受け部２２によって下皿４を左右方向へ案内することができる。また、図２に示すごとく、オーバーフロー通路１２は、本体枠２に形成されており、上皿３における球払出口（球入口）３１５に連結する球通路３３の近傍から、下皿４における球流入口４８まで遊技球を導く形状に形成されている。
【００２１】
図１、図２に示すごとく、本例の下皿パネル部４１は、球発射装置１３の前方に対応する左側部分を除く部分に形成されている。また、本例の下皿パネル部４１は、左側部分を除く中心部分から右側部分まで形成した下皿センター部４１１と、この下皿センター部４１１の右側部分から上方（上皿３の方向）に向けて形成した上方突出部４１２とを有している。下皿球貯留部４５は、下皿センター部４１１の前面側に形成してあり、上方突出部４１２には、後述する施錠装置１４を配置するための切欠部４１３が形成されている。
【００２２】
図１に示すごとく、本例の上皿パネル部３１は、下皿パネル部４１の下皿センター部４１１の上方、及び球発射装置１３の前方に対応する位置に形成されている。本例の上皿パネル部３１は、右側部分を除く中心部分から左側部分まで形成した上皿センター部３１１と、この上皿センター部３１１の左側部分から下方（下皿４の方向）に向けて形成した下方突出部３１２とを有している。上皿球貯留部３５は、上皿センター部３１１の前面側に形成してあり、下方突出部３１２は、球発射装置１３の前方を覆う位置に形成してある。
なお、上皿３には、球発射装置１３へ１球ずつ遊技球を整流して送り出すための整流器１５が配設してある（図４参照）。
【００２３】
本例の上皿パネル部３１は、その端部が、下皿パネル部４１の下皿センター部４１１の左端部４１１Ａ及び上端部４１１Ｂ、並びに下皿パネル部４１の上方突出部４１２の左端部４１２Ａの前面側に重なった状態で、本体枠２に取り付けられる（閉じられる）。より具体的には、上皿パネル部３１の下方突出部３１２の右端部が、下皿パネル部４１の下皿センター部４１１の左端部４１１Ａに重なり、上皿パネル部３１の上皿センター部３１１の下端部が、下皿パネル部４１の下皿センター部４１１の上端部４１１Ｂに重なり、上皿パネル部３１の上皿センター部３１１の右端部が、下皿パネル部４１の上方突出部４１２の左端部４１２Ａに重なる。
【００２４】
また、図２に示すごとく、下皿パネル部４１において、上皿パネル部３１の端部が重なる端部（本例では、下皿センター部４１１の左端部４１１Ａ、下皿センター部４１１の上端部４１１Ｂ及び上方突出部４１２の左端部４１２Ａ）には、前面側に向けて突出する端部突起４３が連続して形成してある。そして、図５、図６に示すごとく、上皿３を本体枠２に対して閉じたときには、上皿パネル部３１の端部（本例では、下方突出部３１２の右端部、上皿センター部３１１の下端部及び上皿センター部３１１の右端部）は、上記端部突起４３の内側（端部側とは反対の中心側）に配置される。これにより、下皿パネル部４１の端部と上皿パネル部３１の端部とが前後方向に重なる部分の隙間の防犯性を向上させることができる。
【００２５】
図２、図４に示すごとく、本例の下皿パネル部４１における係合部４２は、下皿パネル部４１の周囲の端部における複数箇所（本例では７箇所）に形成してある。この係合部４２は、図７に示すごとく、下皿パネル部４１の一部を後方に切り開いた状態で、右側に向けて突出させて形成してある。なお、図４は、上皿３及び下皿４を裏面側から見た状態で示す図である。
【００２６】
一方、図３に示すごとく、本例の本体枠２の被係合部２１は、本体枠２の前面側において、複数の係合部４２の形成箇所に対応して複数形成してある。この被係合部２１は、図７に示すごとく、本体枠２の前面部の一部を前方に突出させた凸部２１１の左側部分に、係合部４２を挿入するための開口穴２１２を形成してなる。
なお、図７は、下皿を本体枠の前面側に対面させ、右側へスライドさせる前の状態を上方から見た断面で示す図である。
【００２７】
また、図８は、下皿を本体枠の前面側に対面させ、右側へスライドさせた状態を上方から見た断面で示す図である。
そして、同図に示すごとく、本体枠２の前面側に配置した下皿４を右側へ若干スライドさせるときには、各係合部４２を各被係合部２１における開口穴２１２へ挿入し、各係合部４２が各被係合部２１を構成する凸部２１１に重なることによって、下皿４が本体枠２に取り付けられる。また、図１、図５に示すごとく、遊技者等によって下皿４に加えられる荷重は、本体枠２における荷重受け部２２によって受けることができる。
なお、下皿パネル部４１の一部を後方に突出させて凸部を形成すると共にこの凸部の右側部分に開口穴を形成したものを係合部４２とし、本体枠２の前面部の一部を前方に切り開いた状態で、左側に向けて突出させて形成したものを被係合部２１とすることもできる。
【００２８】
また、図１、図３に示すごとく、本体枠２の前面側における右端部には、ガラス枠５を本体枠２に閉じた状態を維持すると共に、本体枠２を外枠１１に閉じた状態を維持するための施錠装置１４が設けてある。この施錠装置１４は、抜差し可能なキーを回して施錠を行うキーシリンダーであり、キーを一方向へ回転させると本体枠２に対するガラス枠５の施錠を解除し、キーを他方向へ回転させると外枠１１に対する本体枠２の施錠を解除するよう構成されている。
【００２９】
図５に示すごとく、本例の上皿３は、施錠装置１４により本体枠２に対するガラス枠５の施錠を解除し、ガラス枠５を本体枠２に対して開けたときにのみ、本体枠２に対して開けることができるようになっている。上皿３の上端部には、ガラス枠５の下端部が前面側から重なって配置される重なり端部３１４が形成してある。そして、ガラス枠５を閉じたときには、重なり端部３１４の前面側にガラス枠５の下端部が重なることによって、上皿３を開けることができない一方、ガラス枠５を開けたときには、上皿３を開けることが可能になる。
【００３０】
図９に示すごとく、本例の上皿３は、ガラス枠５を本体枠２に対して開けた状態において、下皿４に対する固定状態を解除して、本体枠２に対して開けることができるようになっている。
具体的には、上皿パネル部３１の上皿センター部３１１における右端部近傍の裏面側には、手動操作可能な金属製の閉保持用フック３２が配設してある。また、下皿パネル部４１の上方突出部４１２における左端部近傍の裏面側には、閉保持用フック３２を係止させる金属製のフック係止部材４４が配設してある。
【００３１】
同図に示すごとく、本例の閉保持用フック３２は、フック係止部材４４に係止されるフック係止部３２１と、フック係止部３２１から延長形成した操作部３２２とを有している。フック係止部材４４には、フック係止部３２１を係止するための係止穴４４１が形成してある。閉保持用フック３２及びフック係止部材４４は、板金を加工して製作してある。
また、閉保持用フック３２は、スプリング３２３によってフック係止部材４４を係止する方向に付勢されている。
【００３２】
そして、フック係止部材４４によって閉保持用フック３２を係止することにより、上皿３を本体枠２に対して閉じた状態を維持することができる。このとき、フック係止部材４４による閉保持用フック３２の係止により、上皿３と下皿４との位置決めを直接行うことができる。
一方、ガラス枠５を本体枠２に対して開けたときには、遊技機の管理者は、閉保持用フック３２の操作部３２２を操作して、フック係止部材４４による閉保持用フック３２の係止状態を解除し、上皿３を本体枠２に対して開けることができる。
なお、図９は、フック係止部材４４に対する係止を解除した状態の閉保持用フック３２を、上皿３及び下皿４の裏面側から見た状態で示す。
【００３３】
図２、図３に示すごとく、本体枠２の前面側には、下皿４の本体枠２への取付状態を固定するロック部材２４が設けてある。このロック部材２４は、本体枠２の前面側において、上皿３の裏面側に隠れる位置に設けてあり、本体枠２に対して上皿３を開放した（開けた）状態でのみ操作可能な位置に設けてある。本例のロック部材２４は、下皿パネル部４１の下皿センター部４１１の上端部に形成した段差部４１４に対応する位置に設けてある。
【００３４】
図２に示すごとく、本例のロック部材２４は、本体枠２に対して回動可能に設けてあり、その回動中心部２４１から、その軸方向に直交する方向に突出カム部２４２を突出形成してなる。ロック部材２４は、図２に示すごとく、下皿４のスライドを制限して下皿４の本体枠２への取付状態を固定するための固定位置Ａと、図３に示すごとく、下皿４のスライドを可能にして上記取付状態を解除するための解除位置Ｂとに回動可能である。
【００３５】
図２に示すごとく、本例のロック部材２４は、突出カム部２４２を右側に向けたときに固定位置Ａになり、この突出カム部２４２の周面が上記段差部４１４と左右方向（下皿４のスライド方向）において対向する。これにより、ロック部材２４が固定位置Ａにあるときには、下皿４を左側へスライドさせることができず、本体枠２の被係合部２１に対する下皿４の係合部４２の係合状態を維持することができる。
【００３６】
一方、図３に示すごとく、本例のロック部材２４は、突出カム部２４２を上側に向けたときに解除位置Ｂになり、回動中心部２４１と上記段差部４１４との間に空間が形成される。これにより、ロック部材２４が解除位置Ｂにあるときには、下皿４を左側へスライドさせることができ、本体枠２の被係合部２１に対する下皿４の係合部４２の係合状態を解除することができる。そして、本体枠２に対する下皿４の取付け、取外しを行うことができる。なお、図３においては、本体枠２の前面側に配置し、右側へスライドさせる前の状態の下皿４を２点鎖線で示す。
【００３７】
また、図１、図２に示すごとく、本例のロック部材２４は、上皿３を本体枠２に対して閉じたときには、本例の上皿パネル部３１の上皿センター部３１１の下端部によって覆われる。また、図５に示すごとく、上皿３は、ロック部材２４が固定位置Ａにあるとき（ロック部材２４の突出カム部２４２が右側を向いたとき）にのみ本体枠２に対して閉じることができる。
【００３８】
一方、図６に示すごとく、ロック部材２４が解除位置Ｂにあるとき（ロック部材２４の突出カム部２４２が上側を向いたとき）には、上皿センター部３１１の下端部に設けたリブ３１３が、ロック部材２４の突出カム部２４２と干渉することによって、上皿３を本体枠２に対して閉じることができなくなる。
こうして、本例の上皿３は、ロック部材２４が固定位置Ａにあるときにのみ、本体枠２に対して閉じることができると共に、ロック部材２４が解除位置Ｂにあるときには、本体枠２に対して閉じることができないようになっている。
【００３９】
また、図２に示すごとく、球発射装置１３における遊技球の発射強度を調整する操作ハンドル４６は、下皿パネル部４１の前面側において、下皿センター部４１１の右端部の近傍に配設してある。また、本体枠２の裏面側には、遊技機におけるパチンコ遊技等を制御する制御基板（図示略）が配設してある。図３に示すごとく、本体枠２の前面側には、操作ハンドル４６のハーネス（電線）４６１の接続を行うための中継基板２５が配設してある。そして、制御基板等に対する操作ハンドル４６のハーネス４６１の配線は、中継基板２５によって中継して行うことができる。
【００４０】
また、制御基板等から中継基板２５までは、本体側のハーネスが配線してある。また、操作ハンドル４６のハーネス４６１の先端部には、中継基板２５に接続するためのコネクタが設けてある。本例の中継基板２５は、ハーネス４６１の断線等の危険性を低下させるために、本体枠２の前面側において、下皿４によって覆われる位置に配設してある。そして、中継基板２５に対して操作ハンドル４６のハーネス４６１のコネクタを接続した後に、下皿４を本体枠２に取り付ける。
【００４１】
また、ハーネス４６１の長さは、下皿４を本体枠２に取り付けたときに、緩みがほとんどない長さにすることが好ましい。また、本体枠２に対する中継基板２５の左右方向の配設位置は、操作ハンドル４６に近くし過ぎると、本体枠２に対して下皿４を前面側に引き出す距離が短くなって、ハーネス４６１のコネクタを中継基板２５に接続する作業が困難になる一方、操作ハンドル４６から遠くし過ぎると、ハーネス４６１が必要以上に長くなってしまう。そのため、本体枠２に対する中継基板２５の左右方向の配設位置は、上記接続作業が可能な適切な位置まで操作ハンドル４６から離すとよい。
【００４２】
なお、中継基板２５は、本体枠２の前面側において、上皿３によって覆われる位置に配設することもできる。この場合には、本体枠２に対する下皿４の取付けは、ハーネス４６１のコネクタを中継基板２５に対して接続する前又は接続した後のいずれのタイミングで行うこともできる。
また、本例においては、中継基板２５によってハーネスの中継を行う電装部品を操作ハンドル４６としたが、この電装部品は、これ以外にも、電飾部品、ＣＲ操作部品等とすることができる。
【００４３】
また、図１０に示すごとく、本体枠２の前面側において、オーバーフロー通路１２の出口の周囲には、下皿パネル部４１と本体枠２との間の隙間から、遊技者等が不正操作することを防止するための本体側突起２６が、本体枠２の前面側から前方へ向けて突出形成してある。
また、下皿パネル部４１の裏面側において、下皿球貯留部４５における球流入口４８（オーバーフロー通路１２の出口の対応部分）の周囲には、上記本体側突起２６の内周側に対応する位置に、パネル側突起４７が形成してある。このパネル側突起４７は、下皿パネル部４１の裏面側から後方に向けて突出形成してある。
そして、パネル側突起４７の左辺部と、本体側突起２６の左辺部との間には、下皿４を本体枠２に対して左右方向へスライド可能にするための空間２６０が形成されている。
【００４４】
図１１に示すごとく、上皿貯留部３５（上皿パネル部３１の前面側）には、その左側部分において、球払出装置から払い出された遊技球が放出される球払出口３１５が形成してある。また、上皿貯留部３５には、遊技機の外部のＣＲユニットにおける球供給部から遊技球を受け取るための球受部３６が設けてある。
本例の球受部３６は、球払出口３１５の上方に、球供給部から流下する遊技球を受ける天板部３６１が形成してあり、天板部３６１の下面には、球払出口３１５から放出される遊技球を、上皿貯留部３５における右方向へ流下させるための流下案内部３６２が形成してある。同図において、流下案内部３６２を流下する遊技球の流れを矢印Ｆによって示す。
【００４５】
また、球受部３６は、透明性の高い樹脂により形成することができる。これにより、遊技者は、球受部３６があっても、この球受部３６を介して球払出口３１５を透視することができ、例えば、球払出口３１５付近で停留している遊技球を確認して除去することが可能になる。また、球払出口３１５の周辺に不正改造された場合に、その不正を見つけ易くすることができる。
また、球受部３６は、遊技者の手動操作によって、上皿貯留部３５内に配置した球受位置と、上皿貯留部３５から遊技機の横方向に退避させた退避位置とに回動可能にすることができる。図１１において、この場合の回動支点部を符号３６２によって示し、回動方向を矢印Ｇによって示す。これによっても、上記透明性の高い樹脂によって形成する場合と同様の効果を得ることができる。
【００４６】
本例の遊技機の球皿配設構造１においては、略垂直方向に遊技球を発射させる垂直発射方式の球発射装置１３を用い、下皿４は、球発射装置１３の前方を開放する形状に形成してある。そして、球発射装置１３の前方は、本体枠２に対して開閉可能に配設した上皿３の一部によって覆うよう構成してある。
これにより、球発射装置１３に球詰まり等が生じ、メンテナンスが必要になったときには、遊技機の管理者は、上皿３を開けることにより球発射装置１３の前方を開放し、球発射装置１３のメンテナンスを行うことができる。
【００４７】
また、上皿３は、下皿パネル部４１における上端部４１１Ｂ及び左端部４１１Ａ、４１２Ａの前面側に覆い被さった状態で、本体枠２に対して閉じられる。これにより、下皿４は、左右方向にスライド可能になっているものの、上皿３を本体枠２に対して開けない限りスライドさせて取り外すことができない。そのため、下皿４は、専用の施錠装置を設けることなく、上皿３によって閉じた状態を維持することができる。
【００４８】
また、本例においては、上皿３を本体枠２に対して取り付ける前に、下皿４を本体枠２に対して取り付ける。このとき、下皿４は、本体枠２の前面側に配置した後、右側へ若干スライドさせることによって、本体枠２の被係合部２１に対して係合部４２を係合させて、本体枠２に取り付けることができる。また、この取付け後には、ロック部材２４を固定位置Ａにして、下皿４が本体枠２から不意に外れないようにする。
また、下皿４を本体枠２から取り外すときには、上皿３を本体枠２に対して開ける。そして、ロック部材２４を解除位置Ｂにした後、下皿４は、本体枠２に対して左側へ若干スライドさせることによって、本体枠２の被係合部２１に対する係合部４２の係合状態を解除して、本体枠２から取り外すことができる。
【００４９】
これにより、本例の下皿４は、ビス等の固定具を用いることなく本体枠２に取り付けることができると共に、本体枠２に対して容易に取付け、取外しを行うことができる。また、本例の下皿４は、本体枠２に対して開閉可能にするための板金、ピン等の部材を用いることなく、本体枠２に対して容易に取り付けることができ、その構造を簡単にすることができる。
【００５０】
また、下皿４は、本体枠２の右端部からさらに右方向へ突出させることなく、本体枠２の前面側の空間（本体枠２における上皿３の配設領域）のみを利用して、本体枠２に取り付けることができる。これにより、遊技場に遊技機を設置した状態において、下皿４が遊技機の左右へ突出することがなく、下皿４が隣接する遊技機又はＣＲユニット等に干渉することを防止することができる。
【００５１】
それ故、本例の遊技機の球皿配設構造１によれば、球発射装置１３の開放が容易であると共に、本体枠２への下皿４の取付け、取外しが容易であり、かつ専用の施錠装置１４を設けることなく下皿４を閉じた状態を維持することができると共に、下皿４の構造を簡単にすることができる。
【００５２】
なお、下皿４は、本体枠２における上下方向にスライドさせる構造にすることもできる。この場合には、本体枠２における被係合部２１と下皿４における係合部４２とを上下方向に係合させ、ロック部材２４の突出カム部２４２を下向きにしたときに、この突出カム部２４２を下皿センター部４１１の上端部に当接させて、下皿４を本体枠２に固定することができる。
【図面の簡単な説明】
【００５３】
【図１】実施例における、本体枠に対して上皿及び下皿を取り付けた状態の遊技機の球皿配設構造を、遊技機の前面側から見た状態で示す説明図。
【図２】実施例における、本体枠に対して下皿を取り付けた状態の遊技機の球皿配設構造を、遊技機の前面側から見た状態で示す説明図。
【図３】実施例における、本体枠を、遊技機の前面側から見た状態で示す説明図。
【図４】実施例における、上皿及び下皿を、裏面側から見た状態で示す説明図。
【図５】実施例における、遊技機の球皿配設構造を、側方から見た状態で示す断面説明図。
【図６】実施例における、上皿を閉じる状態の遊技機の球皿配設構造を、上方から見た状態で示す断面説明図。
【図７】実施例における、下皿を本体枠の前面側に対面させ、右側へスライドさせる前の状態を、上方から見た状態で示す断面説明図。
【図８】実施例における、下皿を本体枠の前面側に対面させ、右側へスライドさせた状態を、上方から見た状態で示す断面説明図。
【図９】実施例における、フック係止部材に対する係止を解除した状態の閉保持用フックを、上皿及び下皿の裏面側から見た状態で示す斜視説明図。
【図１０】実施例における、オーバーフロー通路の出口の周辺を、上方から見た状態で示す断面説明図。
【図１１】実施例における、上皿貯留部に球受部を設けた状態を示す斜視説明図。
【符号の説明】
【００５４】
１  遊技機の球皿配設構造
１２  オーバーフロー通路
１３  球発射装置
１４  施錠装置
２  本体枠
２１  被係合部
２４  ロック部材
Ａ  固定位置
Ｂ  解除位置
２５  中継基板
３  上皿
３１  上皿パネル部
３２  閉保持用フック
３５  上皿球貯留部
４  下皿
４１  下皿パネル部
４１１Ａ、４１２Ａ  左端部
４１１Ｂ  上端部
４２  係合部
４４  フック係止部材
４５  下皿球貯留部
４６  操作ハンドル
４６１  ハーネス
【図１】
2008188144.tif 000003
【図２】
2008188144.tif 000004
【図３】
2008188144.tif 000005
【図４】
2008188144.tif 000006
【図５】
2008188144.tif 000007
【図６】
2008188144.tif 000008
【図７】
2008188144.tif 000009
【図８】
2008188144.tif 000010
【図９】
2008188144.tif 000011
【図１０】
2008188144.tif 000012
【図１１】
2008188144.tif 000013